(57)【特許請求の範囲】
【請求項１】
被写体の光学像を形成する撮像光学系と、
前記光学像を電気信号に変換する撮像手段と、
前記電気信号に所定の処理を行って画像データを生成する信号処理手段と、
前記信号処理手段によって生成された画像データを用いて、指定された被写体が追尾可能範囲内の所定の基準範囲内に存在するか否かを判定する判定手段と、
前記判定手段の判定結果を光で通知する通知手段と、
を有し、
前記所定の基準範囲は、指定された被写体が人物の顔部位を含んでいる場合、指定された被写体が人物の顔部位を含んでいない場合に設定される基準範囲よりも上方に設定される、
撮像装置。
【請求項２】
被写体の光学像を形成する撮像光学系と、
前記光学像を電気信号に変換する撮像手段と、
前記電気信号に所定の処理を行って画像データを生成する信号処理手段と、
前記信号処理手段によって生成された画像データを用いて、指定された被写体が追尾可能範囲内の所定の基準範囲内に存在するか否かを判定する判定手段と、
前記判定手段の判定結果を光で通知する通知手段と、
を有し、
前記所定の基準範囲は、指定された被写体が人物の顔部位を含んでいる場合、指定された被写体が人物の顔部位を含んでいない場合に設定される基準範囲よりも垂直方向の長さが短くなるように設定される、
撮像装置。
【請求項３】
前記通知手段は、
指定された被写体が前記所定の基準範囲内に存在する間、光による通知を行う、
請求項１または請求項２記載の撮像装置。
【請求項４】
前記通知手段は、
指定された被写体が前記所定の基準範囲内に存在しない場合、前記指定された被写体が前記所定の基準範囲内に存在する場合とは異なる通知を光により行う、
請求項３記載の撮像装置。
【請求項５】
前記画像データを表示する表示手段、を更に有し、
前記所定の基準範囲は、前記表示手段の表示範囲であり、
前記判定手段は、
指定された被写体が前記表示手段の表示範囲内に存在するか否かを判定する、
請求項１または請求項２記載の撮像装置。
【請求項６】
前記画像データを表示する表示手段、を更に有し、
前記追尾可能範囲内の所定の基準範囲は、前記表示手段の表示範囲よりも小さい所定範囲であり、
前記判定手段は、
指定された被写体が前記表示手段の表示範囲よりも小さい所定範囲内に存在するか否かを判定する、
請求項１または請求項２記載の撮像装置。
【請求項７】
前記画像データを表示する表示手段、を更に有し、
前記追尾可能範囲内の所定の基準範囲は、前記撮像手段の撮像範囲よりも小さい所定範囲であり、
前記判定手段は、
指定された被写体が含まれる前記表示手段の表示範囲が、前記撮像手段の撮像範囲よりも小さい所定範囲内に存在するか否かを判定する、
請求項１または請求項２記載の撮像装置。
【請求項８】
前記画像データを表示する表示手段と、
前記画像データに基づいて、前記指定された被写体を追尾する追尾手段と、を更に有し、
前記追尾可能範囲内の所定の基準範囲は、前記追尾手段の追尾範囲よりも小さい所定範囲であり、
前記判定手段は、
指定された被写体が含まれる前記表示手段の表示範囲が、前記追尾手段の追尾範囲よりも小さい所定範囲内に存在するか否かを判定する、
請求項１または請求項２記載の撮像装置。
【請求項９】
前記所定の基準範囲は、指定された被写体が人物の顔部位を含んでいる場合、顔部位の大きさに応じて、指定された被写体が人物の顔部位を含んでいない場合に設定される基準範囲からの上方移動量、または基準範囲の垂直方向の長さを変化させる、
請求項１または請求項２記載の撮像装置。
【請求項１０】
被写体の光学像を形成する撮像光学系と、
前記光学像を電気信号に変換する撮像手段と、
前記電気信号に所定の処理を行って画像データを生成する信号処理手段と、
前記信号処理手段によって生成された画像データを用いて、指定された被写体が追尾可能範囲内の所定の基準範囲内に存在するか否かを判定する判定手段と、
前記判定手段の判定結果を無線で送信する送信手段と、
を有し、
前記所定の基準範囲は、指定された被写体が人物の顔部位を含んでいる場合、指定された被写体が人物の顔部位を含んでいない場合に設定される基準範囲よりも上方に設定される、
撮像装置本体。
【請求項１１】
被写体の光学像を形成する撮像光学系と、
前記光学像を電気信号に変換する撮像手段と、
前記電気信号に所定の処理を行って画像データを生成する信号処理手段と、
前記信号処理手段によって生成された画像データを用いて、指定された被写体が追尾可能範囲内の所定の基準範囲内に存在するか否かを判定する判定手段と、
前記判定手段の判定結果を無線で送信する送信手段と、
を有し、
前記所定の基準範囲は、指定された被写体が人物の顔部位を含んでいる場合、指定された被写体が人物の顔部位を含んでいない場合に設定される基準範囲よりも垂直方向の長さが短くなるように設定される、
撮像装置本体。
【発明の詳細な説明】
【技術分野】
【０００１】
本発明は、被写体の光学像を撮像する撮像装置および撮像装置本体、並びに撮像装置本体を用いた撮影において所定の通知を行う通知用端末に関する。
【背景技術】
【０００２】
従来、ビデオカメラで子供などの動く被写体を撮像する場合において、被写体の画像をフレームアウトさせないためには、撮影者は、ビューファインダやモニタで被写体の像を注視し続けなけなければならなかった。ところが、被写体の画像を注視し続けることは、撮影者にとって負担が大きいだけでなく周囲状況の把握を困難にさせる。
【０００３】
そこで、モニタを有する撮像装置において、指定された被写体を追尾し、追尾した被写体がモニタの表示画面（以下単に「表示画面」という）のどの位置にいるかを表示する技術が提案されている（例えば特許文献１参照）。
【０００４】
図１４は、特許文献１に記載された撮像装置の表示画面の例である。特許文献１記載の撮像装置は、撮像結果として得られる画像データから、追尾対象として指定された被写体の画像（以下、単に「主被写体」という）１０の表示画面２０上の位置を特定し、特定した位置を指し示す矢印３０または枠を表示画面２０に表示する。これにより、撮影者は、表示画面２０上の主被写体１０の位置を容易に判別でき、主被写体１０を注視し続けることなく主被写体１０のフレームアウトを防止することができる。
【０００５】
また、フレームアウトした主被写体がどの方向に移動したかを表示する撮像装置が提案されている（例えば特許文献２参照）。特許文献２記載の撮像装置は、主被写体の動きを追尾し、主被写体がフレームアウトしたときに、その移動方向を案内する矢印を表示画面に表示する。これにより、撮影者は、主被写体を注視し続けることなく、主被写体がどの方向にフレームアウトしたかを容易に判断し、主被写体を容易に再フレームインさせることができる。
【特許文献１】特開２００５−３４１４４９号公報
【特許文献２】特開２００７−１２９４８０号公報
【発明の開示】
【発明が解決しようとする課題】
【０００６】
ところで、実際の撮影時には、主被写体の人物を直接見ながらその人物に手を振るというように、撮影者が表示画面から目を離して撮影操作を行う場面がしばしば存在する。このため、撮影者が表示画面から目を離している間も、主被写体をできるだけフレームアウトさせずに撮影が継続されることが望ましい。このためには、主被写体がフレームアウトしそうになったとき、または主被写体がフレームアウトしたきに、撮影者がこれにすぐに気付いて表示画面に視線を戻す必要がある。
【０００７】
しかしながら、特許文献１および特許文献２記載の撮像装置を用いた撮影で表示画面から目を離した場合、撮影者は、主被写体がフレームアウトしそうになっても、またはフレームアウトしてしまっても、その事にすぐに気付くことができない。
【０００８】
同様に、主被写体が他の物体に隠れたり、主被写体と外見の似ている物体が撮影範囲内に存在する場合にも、追尾処理が終了または失敗することがあるが、このような場合にも、主被写体のフレームアウトを防ぐために、撮影者がこれにすぐに気付いて表示画面に視線を戻す必要がある。ところが、特許文献１および特許文献２記載の撮像装置を用いた場合、撮影者は追尾処理が終了または失敗したことにすぐに気付くことができない。
【０００９】
本発明は、かかる点に鑑みてなされたものであり、撮影者が表示画面を注視し続けることなく、指定された被写体が所定の基準範囲内に収まるような撮影を支援することができる撮像装置および撮像装置本体を提供することを目的とする。
【課題を解決するための手段】
【００１０】
本発明の一態様に係る撮像装置は、被写体の光学像を形成する撮像光学系と、前記光学像を電気信号に変換する撮像手段と、前記電気信号に所定の処理を行って画像データを生成する信号処理手段と、前記信号処理手段によって生成された画像データを用いて、指定された被写体が追尾可能範囲内の所定の基準範囲内に存在するか否かを判定する判定手段と、前記判定手段の判定結果を光で通知する通知手段とを有し、前記所定の基準範囲は、指定された被写体が人物の顔部位を含んでいる場合、指定された被写体が人物の顔部位を含んでいない場合に設定される基準範囲よりも上方に設定される構成を採る。また、本発明の一態様に係る撮像装置は、被写体の光学像を形成する撮像光学系と、前記光学像を電気信号に変換する撮像手段と、前記電気信号に所定の処理を行って画像データを生成する信号処理手段と、前記信号処理手段によって生成された画像データを用いて、指定された被写体が追尾可能範囲内の所定の基準範囲内に存在するか否かを判定する判定手段と、前記判定手段の判定結果を光で通知する通知手段と、を有し、前記所定の基準範囲は、指定された被写体が人物の顔部位を含んでいる場合、指定された被写体が人物の顔部位を含んでいない場合に設定される基準範囲よりも垂直方向の長さが短くなるように設定される構成を採る。
【００１１】
本発明の一態様に係る撮像装置本体は、被写体の光学像を形成する撮像光学系と、前記光学像を電気信号に変換する撮像手段と、前記電気信号に所定の処理を行って画像データを生成する信号処理手段と、前記信号処理手段によって生成された画像データを用いて、指定された被写体が追尾可能範囲内の所定の基準範囲内に存在するか否かを判定する判定手段と、前記判定手段の判定結果を無線で送信する送信手段とを有し、前記所定の基準範囲は、指定された被写体が人物の顔部位を含んでいる場合、指定された被写体が人物の顔部位を含んでいない場合に設定される基準範囲よりも上方に設定される構成を採る。また、本発明の一態様に係る撮像装置本体は、被写体の光学像を形成する撮像光学系と、前記光学像を電気信号に変換する撮像手段と、前記電気信号に所定の処理を行って画像データを生成する信号処理手段と、前記信号処理手段によって生成された画像データを用いて、指定された被写体が追尾可能範囲内の所定の基準範囲内に存在するか否かを判定する判定手段と、前記判定手段の判定結果を無線で送信する送信手段と、を有し、前記所定の基準範囲は、指定された被写体が人物の顔部位を含んでいる場合、指定された被写体が人物の顔部位を含んでいない場合に設定される基準範囲よりも垂直方向の長さが短くなるように設定される構成を採る。
【００１２】
本発明の通知用端末は、上記撮像装置本体と無線通信可能な通知用端末であって、前記送信手段から送信された判定結果を受信する受信手段と、受信された判定結果を音で通知する通知手段とを有する構成を採る。
【００１３】
本発明の通知用端末は、上記撮像装置本体と無線通信可能な通知用端末であって、前記送信手段から送信された判定結果を受信する受信手段と、受信された判定結果を振動で通知する通知手段とを有する構成を採る。
【発明の効果】
【００１４】
本発明によれば、撮影者が表示画面を注視し続けることなく、指定された被写体が追尾可能範囲内の所定の基準範囲内に収まるような撮影を支援することができる。すなわち、指定された被写体が所定の基準範囲内に位置するか否かを光、あるいは音や振動により撮影者に通知するため、撮影者は、表示画面を注視し続けることなく、指定された被写体が所定の基準範囲内に収まるように撮影を行うことができる。
【発明を実施するための最良の形態】
【００１５】
以下、本発明の各実施の形態について、図面を参照して詳細に説明する。
【００１６】
（実施の形態１）
まず、本発明の実施の形態１に係る撮像装置の概要について説明する。実施の形態１は、本発明を、主被写体を追尾する追尾機能を有する家庭用ビデオカメラに適用した例である。
【００１７】
図１は、本発明の実施の形態１に係る撮像装置が撮影に使用されるときの様子の一例を示す図である。
【００１８】
図１に示すように、撮像装置１００は、被写体の光学像を結像させるレンズ部１１０と、結像した光学像から画像データを生成して記録する装置本体１２０と、生成された画像データの画像を液晶パネル（図示せず）に表示するモニタ１３０とを有する。また、撮像装置１００は、装置本体１２０の上面に、ＬＥＤ（light emitting diode）部１４０を配置している。このＬＥＤ部１４０は、モニタ１３０に表示される画像領域（以下「表示範囲」という）に、主被写体が位置するか否かに応じて、点灯状態を切り替えるものである。
【００１９】
撮影者２１０は、撮像装置１００の装置本体１２０を手に持ち、モニタ１３０の表示範囲に主被写体２２０が位置するように、装置本体１２０の向きを調整しながら撮影を行う。
【００２０】
このとき、ＬＥＤ部１４０は、装置本体１２０の上面に配置されているので、撮影者２１０の視界に入り易い。このため、撮影者２１０は、モニタ１３０の表示画面から目を離して実際の主被写体２２０に視線２１１を向けたとしても、ＬＥＤ部１４０の点灯状態から、モニタ１３０の表示範囲に主被写体が入っているか否かを容易に認識することができる。そして、撮影者２１０は、主被写体が表示範囲に位置しなくなったときには、すぐにこれに気付き、モニタ１３０に視線２１１を戻すことができる。したがって、撮影者２１０は、表示画面を注視し続けることなく、主被写体をできるだけフレームアウトさせずに撮影を行うことができる。
【００２１】
ここで、「フレームアウトする」とは、主被写体の位置が表示範囲の外に移動すること、および主被写体の位置が検出されなくなることを含む概念である。そして、「フレームインする」とは、主被写体の位置が表示範囲に移動し、かつ主被写体の位置が検出されることを含む概念である。
【００２２】
また、撮像装置１００が、主被写体を表示範囲の内部であって表示範囲よりも一回り小さい所定の範囲（以下「フレームイン領域」という）に位置することを検出している状態を「フレームイン状態」といい、フレームイン状態にない状態を「フレームアウト状態」という。フレームイン状態は、主被写体がフレームアウトする可能性の低い状態であり、フレームアウト状態は、主被写体が表示範囲に位置しない、または表示範囲のうちフレームアウトする可能性の高い領域に位置する状態である。上記説明では、主被写体が表示範囲に入っているか否かを通知するとしたが、より正確には、主被写体がフレームイン領域に入っているか否かを通知する。
【００２３】
実際には、主被写体の追尾が可能な画像領域（追尾可能範囲）と、モニタ１３０に表示される画像領域と、実際に記録される画像領域とは異なることがあるが、ここでは、これらの領域は一致しているものとする。
【００２４】
図２は、本発明の実施の形態１に係る撮像装置の外観を示す斜視図である。
【００２５】
図２に示すように、モニタ１３０は、装置本体１２０に対して開閉可能に、かつ開いた状態で上下方向に回転可能に取り付けられている。したがって、撮影者２１０は、撮影を行うとき、通常、モニタ１３０を装置本体１２０に対して開き、その表示画面をやや上方に回転させることで、腕を無理に上げることなく低い位置で撮像装置１００を操作することができる。このとき、図１に示すように、撮影者２１０は、撮像装置１００を上方から見下ろす姿勢となり、装置本体１２０の上部に配置されたＬＥＤ部１４０を容易に視認することができる。
【００２６】
次に、撮像装置１００の構成について説明する。
【００２７】
図３は、撮像装置１００の構成を示すブロック図である。
【００２８】
図３において、撮像装置１００は、撮像光学系３１０、レンズ鏡筒３２０、固体撮像素子３３０、Ａ／Ｄ変換部３４０、映像信号処理部３５０、バッファメモリ３６０、表示部３７０、操作部３８０、追尾処理部３９０、レンズ鏡筒制御部４００、通知部４１０、ＣＯＤＥＣ（coder-decoder）４２０、記録Ｉ／Ｆ（interface）部４３０、ソケット４４０、およびシステム制御部４５０を有する。
【００２９】
撮像光学系３１０およびレンズ鏡筒３２０は、図２のレンズ部１１０に配置されている。表示部３７０は、図２のモニタ１３０に配置されている。これら以外の各部は、図２の装置本体１２０に配置されている。また、撮像装置１００の主な装置部は、システムバス４６０に接続されている。
【００３０】
撮像光学系３１０は、複数のレンズ素子群を有し、被写体の光学像を固体撮像素子３３０の撮像面上に結像させる。撮像光学系３１０のレンズ素子群は、光軸に沿って移動することにより合焦状態を調節するフォーカスレンズと、光軸に沿って移動することにより被写体の光学的な像を変倍するズームレンズとを含む。
【００３１】
レンズ鏡筒３２０は、撮像光学系３１０を内部で支持している。レンズ鏡筒３２０自身は、後述するレンズ鏡筒制御部４００によって、装置本体１２０に対してピッチング方向およびヨーイング方向に駆動制御可能に支持されている。すなわち、レンズ鏡筒３２０は、レンズ鏡筒制御部４００の制御により、所定の範囲内での光軸方向調整が可能となっている。
【００３２】
固体撮像素子３３０は、撮像光学系３１０により結像された光学像を電気信号（アナログ映像信号）に変換する。固体撮像素子３３０は、例えば、ＣＣＤ（charge coupled device）またはＣＭＯＳ（complementary metal oxide semiconductor）を有する。
【００３３】
Ａ／Ｄ変換部３４０は、固体撮像素子３３０から出力されるアナログ映像信号を、デジタル映像信号に変換する。
【００３４】
映像信号処理部３５０は、Ａ／Ｄ変換部３４０から出力されるデジタル映像信号に対し、ゲイン調整、ノイズ除去、ガンマ補正、アパーチャ処理、およびニー処理等を含む所定の映像信号処理を施し、ＲＧＢ形式の映像信号に変換する。更に、映像信号処理部３５０は、生成したＲＧＢ形式の信号を、Ｙ／Ｃ形式の映像信号に変換する。
【００３５】
バッファメモリ３６０は、映像信号処理部３５０から出力されるＲＧＢ形式の映像信号を蓄積し、デジタル映像情報として一時的に格納する。
【００３６】
表示部３７０は、モニタであり、Ｄ／Ａ変換部（図示せず）および上述した液晶パネルを有する。表示部３７０は、バッファメモリ３６０に蓄積されたデジタル映像情報に各種操作アイコンや文字列データといったＯＳＤ（on screen display）表示を重畳して出力映像データを生成し、生成した出力映像データを、Ｄ／Ａ変換を通して液晶パネルに入力し、可視画像として表示する。
【００３７】
操作部３８０は、例えば、図示しないが、モード切替ボタンやズームレバー、電源ボタン、撮影ボタン、メニューボタン、方向ボタン、決定ボタンなどの各種ボタンおよびレバー類を有し、撮影者２１０からの撮像装置１００に対する操作を受け付ける。モード切替ボタンは、撮像装置１００の複数の動作モードを切り替えるためのものである。この複数の動作モードには、通常の撮影を行う通常撮影モード、主被写体の特徴量を記憶する被写体記憶モード、主被写体を追尾しながらの撮影を行う追尾撮影モード、および撮影した映像データの再生を行う再生モードが含まれる。ズームレバーは、映像のズームを行うためのものである。電源ボタンは、撮像装置１００の主電源のＯＮ／ＯＦＦを行うためのものである。撮影ボタンは、撮影の開始および停止を行うためのものである。メニューボタンは、撮像装置１００の設定に関する各種メニューを表示するためのものである。方向ボタンは、上下左右をおよび奥への押下が可能であり、ズーム位置やメニュー項目を切り替えるためのものである。決定ボタンは、各種決定操作を行うためのものである。
【００３８】
追尾処理部３９０は、追尾撮影モードが選択されているとき、映像信号処理部３５０で生成されるＲＧＢ形式の映像信号に基づいて、表示範囲において主被写体を追尾し、表示範囲における主被写体の現在位置を示す位置情報を生成する追尾処理を行う。また、追尾処理部３９０は、追尾処理により得られた位置情報に基づいて、表示範囲に主被写体の像が位置するか否かを示す通知情報を生成するフレームイン判定部３９１を有している。
【００３９】
レンズ鏡筒制御部４００は、追尾処理部３９０から出力された位置情報に基づき、追尾中の主被写体が表示範囲の中央に配置されるように、レンズ鏡筒３２０をピッチング方向またはヨーイング方向に駆動制御する。
【００４０】
通知部４１０は、図２のＬＥＤ部１４０を有し、システム制御部４５０から出力されるＬＥＤ制御情報に従ってＬＥＤ部１４０の点灯パターンまたは発光レベルを切り替える。ＬＥＤ制御情報は、点灯パターンまたは発光レベルのいずれの情報を表しているかを識別可能なＩＤ値と、点灯パターンを示す点灯パターン番号、または発光レベルを表す数値を含む情報であり、通知情報に基づいて生成されるものである。
【００４１】
ＣＯＤＥＣ４２０は、バッファメモリ３６０に格納されたデジタル映像情報を読み出し、読み出したデジタル映像情報に対して不可逆圧縮処理を施し、例えば、ＭＰＥＧ−２（Moving Picture Experts Group phase 2）、あるいはＨ.２６４／ＭＰＥＧ−４  ＡＶＣ（Moving Picture Experts Group phase 4 Part 10 Advanced Video Coding）などの所定の形式の圧縮映像データに変換する。また、ＣＯＤＥＣ４２０は、記録Ｉ／Ｆ部４３０を介して、ソケット４４０に電気的に接続された記録媒体４７０に、生成した圧縮映像データを記録する。
【００４２】
システム制御部４５０は、ＣＰＵ（central processing unit）、プログラムを記録したＲＯＭ（read only memory）、およびプログラム実行用のＲＡＭ（random access memory）から成り（いずれも図示せず）、システムバス４６０を介して撮像装置１００の各部の動作を統合制御する。より具体的には、システム制御部４５０は、操作部３８０を通して得られるユーザの操作情報の処理、映像信号処理部３５０および追尾処理部３９０への各種指示、通知部４１０に対するＬＥＤ制御指示、表示部３７０で撮像画像やＯＳＤ画像を表示するための表示データの生成、ＣＯＤＥＣ４２０における映像圧縮処理の実行と停止、およびバッファメモリ３６０と記録Ｉ／Ｆ部４３０との間のデータ転送などを、統合的に制御する。例えば、上記ＬＥＤ制御指示は、システム制御部４５０が、追尾処理部３９０のフレームイン判定部３９１からの通知情報に基づいて上記したＬＥＤ情報を生成し、生成したＬＥＤ情報を通知部４１０に出力することにより行われる。
【００４３】
このような構成の撮像装置１００によれば、撮影者２１０に対し、装置本体１２０の上面に配置されたＬＥＤ部１４０の点灯状態によって、撮像装置１００がフレームイン状態にあるか否かを通知することができる。
【００４４】
次に、上記構成を有する撮像装置１００の動作について説明する。追尾撮影モードにおける動作以外の動作については、従来と同様であるため、ここでは、追尾撮影モードにあるときの動作についてのみ説明を行う。
【００４５】
映像信号処理部３５０は、撮像装置１００が追尾撮影モードとなっている間、撮影画像からＲＧＢ形式の映像信号を生成し、生成したＲＧＢ形式の映像信号を、システムバス４６０を介して、追尾処理部３９０にフレーム単位で出力する。また、映像信号処理部３５０は、撮像装置１００が追尾撮影モードとなっている間、ＲＧＢ形式の映像信号からＹ／Ｃ形式の映像信号を更に生成し、生成したＹ／Ｃ形式の映像信号を、システムバス４６０を介して、バッファメモリ３６０にフレーム単位で出力する。更に、映像信号処理部３５０は、Ｙ／Ｃ形式の映像信号生成時、フレームごとにＹ信号の平均レベルを求め、システム制御部４５０に送信する。
【００４６】
追尾処理部３９０は、主被写体の特徴量を、例えば、被写体記憶モードにおいて予め取得して保持する。ここで、特徴量とは、例えば色ヒストグラムなど、画像の特徴を数値で表わしたものであって画像データに対して所定の演算処理を施すことにより算出されるものである。追尾処理部３９０は、被写体記憶モードにおいて、主被写体登録用の枠を表示部３７０に表示し、撮影された画像のうち枠内の部分について特徴量を抽出し、主被写体の特徴量として登録する。撮影者２１０は、主被写体を指定しようとするときには、撮像装置１００を被写体記憶モードに切り替え、枠に任意の被写体の顔などが収まるように撮像位置やズーム倍率を調整して、静止画像を撮影すれば良い。なお、主被写体の特徴量の取得は、被写体記憶モードにおいてではなく、追尾撮影モードに切り替えられるごとに行うようにしても良い。また、他の装置等で抽出された主被写体の特徴量を、記録媒体４７０を介して取得しても良い。
【００４７】
図４は、図３の追尾処理部３９０の動作を示すフローチャートである。
【００４８】
まず、ステップＳ１１００で、追尾処理部３９０は、映像信号処理部３５０から出力されるＲＧＢ形式の映像信号を１フレーム分入力する。
【００４９】
そして、ステップＳ１２００で、追尾処理部３９０は、上記した追尾処理を実行する。本実施の形態では、この追尾処理は、追尾開始時に主被写体の特徴量を記憶し、追尾処理中にその記憶した特徴量と相関性の高い領域を入力映像の中から探索することで実現されるものとする。追尾処理部３９０は、追尾処理の結果、主被写体を検出できない場合には（Ｓ１２００：ＮＯ）、ステップＳ１３００に進む。追尾処理の詳細については後述する。
【００５０】
ステップＳ１３００で、追尾処理部３９０は、フレームイン判定部３９１から、通知部４１０に主被写体を追尾中ではないことを示す通知情報を出力する。この結果、通知部４１０では、ＬＥＤ部１４０の点灯状態により、主被写体を追尾中ではないこと、つまりフレームアウト状態を示す通知が行われる。ＬＥＤ部１４０の点灯状態の切り替えパターンについては後述する。
【００５１】
そして、ステップＳ１４００で、追尾処理部３９０は、追尾撮影モードによる動作を継続するか否かを判断し、追尾撮影モードによる動作を継続すると判断した場合には（Ｓ１４００：ＹＥＳ）、ステップＳ１１００に戻る。
【００５２】
一方、ステップＳ１２００で、追尾処理の結果、主被写体を検出できた場合には（Ｓ１２００：ＹＥＳ）、追尾処理部３９０は、ステップＳ１５００に進む。
【００５３】
ステップＳ１５００で、追尾処理部３９０は、検出した主被写体の位置情報をレンズ鏡筒制御部４００に出力する。この結果、レンズ鏡筒３２０は、主被写体が表示範囲の中央に配置されるように駆動制御される。
【００５４】
但し、レンズ鏡筒制御部４００の制御によるレンズ鏡筒３２０の光軸方向の調整のみでは、撮像装置１００をフレームイン状態に維持することは難しい。したがって、撮影者２１０は、主被写体の撮影を継続しようとする場合には、少なくともフレームアウト状態となったときに、表示画面を確認して、撮像装置１００がフレームイン状態となるように撮像装置１００の位置および向きを調整する必要がある。また、このような撮影者２１０による調整を行うためには、少なくとも、フレームアウト状態に移行したときに速やかにその旨を撮影者２１０に通知する必要がある。
【００５５】
したがって、ステップＳ１６００で、追尾処理部３９０は、検出した主被写体の位置から、フレームアウト状態にあるか否かを判断する。具体的には、追尾処理部３９０は、フレームイン判定部３９１で、主被写体の位置が、フレームイン領域よりも外側であるか否かを判断する。これは、主被写体がフレームイン領域外に位置する場合には、直後に完全にフレームアウトになる可能性が高いためである。また、完全にフレームアウトになってからでは、どちらの方向にフレームアウトしているかを表示画面からでは判断し難く、撮像装置１００をフレームイン状態に即座に戻すことが困難なためである。
【００５６】
フレームイン領域内に主被写体が位置するか否かは、例えば、表示範囲を基準とする座標系において、主被写体として検出した画像領域の中心の座標が、フレームイン領域に対応する領域に位置するか否かによって判断することができる。
【００５７】
図５は、フレームイン領域を説明するための図である。
【００５８】
図５に示すように、フレームイン判定部３９１は、撮影画像の表示範囲５１０に、その表示範囲５１０よりも一回り小さい領域であるフレームイン領域５２０を予め設定している。主被写体５３０の位置（例えば中心位置）が、フレームイン領域５２０にあるとき、表示範囲５１０の外縁までの距離は長く、フレームアウトする可能性は低い。したがって、この場合、フレームイン判定部３９１は、撮像装置１００がフレームイン状態であると判断する。一方、主被写体５３０の位置が、フレームイン領域の外側の領域５４０にあるとき、表示範囲５１０の外縁までの距離は短く、フレームアウトする可能性が高い。したがって、この場合、フレームイン判定部３９１は、フレームアウト状態であると判断する。
【００５９】
なお、フレームイン判定部３９１は、位置やサイズの異なる複数のフレームイン領域を予め用意しておき、撮影シーンに合わせてフレームイン領域を切り替えて適用するようにしても良い。例えば、主被写体５３０をできるだけ表示範囲の中央に保持したい場合には、表示範囲の中央に配置された小さいサイズのフレームイン領域を適用する。また、例えば、人の顔部分を追尾対象とする場合には、フレームイン領域を表示範囲の上方寄りに配置したり、フレームイン領域の垂直方向の長さを短くしたりすることで、被写体の全身の画像を表示範囲に保持することが可能となる。フレームイン領域の切り替えは、手動で行うよう構成するほか、主被写体の特徴量を取得する際に、主被写体の領域に対して顔検出を行い、顔が検出された場合には自動的にフレームイン領域を切り替えるように構成してもよい。この場合、フレームイン領域を上方にずらす量、あるいは高さを縮める量は、主被写体の顔領域の大きさに応じて定められるよう構成することが望ましい。具体的には、主被写体の顔領域の大きさが大きいほど、フレームイン領域を上方にずらすとともに、高さを縮めるようにする。
【００６０】
また、後述するように、追尾処理部３９０における追尾処理によって検出される主被写体の大きさはフレームごとに異なる。したがって、主被写体の特徴量を取得する際に、主被写体に顔領域が含まれていた場合には、追尾処理によって主被写体の大きさが変わるたびに、フレームイン領域の大きさおよび位置を再設定することが望ましい。
【００６１】
追尾処理部３９０は、フレームアウト状態にある場合には（Ｓ１６００：ＹＥＳ）、ステップＳ１３００に進み、通知部４１０に非追尾中であることを示す通知情報を出力する。一方、追尾処理部３９０は、フレームアウト状態にない場合、つまり主被写体がフレームイン領域に位置する場合には（Ｓ１６００：ＮＯ）、ステップＳ１７００に進む。
【００６２】
ステップＳ１７００で、追尾処理部３９０は、フレームイン判定部３９１から、通知部４１０に主被写体を追尾中であることを示す通知情報を出力し、ステップＳ１４００に進む。この結果、通知部４１０では、ＬＥＤ部１４０の点灯状態により、主被写体を追尾中であること、つまり撮像装置１００がフレームイン状態にあることを示す通知が行われる。
【００６３】
そして、ステップＳ１４００で、追尾処理部３９０は、追尾撮影モードから他のモードに切り替えられるなどして追尾撮影モードによる動作を終了すると判断した場合には（Ｓ１４００：ＮＯ）、一連の処理を終了する。
【００６４】
このような処理を追尾処理部３９０で実行することにより、撮像装置１００は、主被写体を追尾し、撮像装置１００がフレームイン状態にあるか否かを、ＬＥＤ部１４０の点灯状態によって撮影者に通知することができる（図１参照）。撮影装置１００により、撮影方向に視線を向けている撮影者２１０の視界で、光の点灯状態の変化でフレームイン状態か否かの通知が行われるので、撮影者２１０は、表示画面に視線を戻すべきタイミングを容易に認識することができ、表示画面から目を離した状態で安心して撮影を続行することができる。
【００６５】
なお、撮像装置１００は、主被写体が完全にフレームアウトしたり物陰に隠れるなどして、主被写体の追尾が不可能となったときや、主被写体が記録の行われる画像領域の外に移動したときには、録画を停止するようにしても良い。これにより、主被写体が写っていない映像に対する圧縮処理や記録処理を行わないようにすることができ、処理負荷の低減や、記録媒体４７０の容量の温存を図ることができる。または、主被写体の追尾が不可能な状態や、主被写体が記録の行われる画像領域にいない状態が一定時間継続したときに、録画を停止するようにしても良い。これにより、すぐに追尾可能な状態や記録が行われる画像領域に主被写体が位置する状態に復帰する場合には、録画を停止させないようにすることができる。
【００６６】
次に、追尾処理部３９０が図１４のステップ１２００で実行する追尾処理の詳細について説明する。
【００６７】
図６は、追尾処理部３９０による追尾処理を示すフローチャートである。
【００６８】
まず、ステップＳ１２１０で、追尾処理部３９０は、映像信号処理部３５０から入力されたＲＧＢ形式の映像信号を、主被写体の追尾に適した所定の形式の映像信号に変換する。本実施の形態では、追尾処理部３９０は、領域探索の際の演算処理量を削減のために画像を縮小するとともに、縮小した画像の映像信号を、ＨＳＶ（hue, saturation, value）形式の映像信号に変換する。これは、ＨＳＶ形式の映像信号が、画像の色相成分の解析を容易に行うことができ、後述する色ヒストグラムを算出し易いためである。
【００６９】
そして、ステップＳ１２２０で、追尾処理部３９０は、主被写体の特徴量（以下「主被写体特徴量」という）として、主被写体の色ヒストグラムが設定済みか否かを判断する。色ヒストグラムとは、画像における各色相成分の出現頻度分布を示したものであり、被写体の位置や形状の変化に影響を受けにくい特徴量の１つである。追尾処理部３９０は、主被写体特徴量をまだ設定していない場合には（Ｓ１２２０：ＮＯ）、ステップＳ１２３０に進む。
【００７０】
ステップＳ１２３０で、追尾処理部３９０は、主被写体を設定し、設定した主被写体の色ヒストグラムを算出する。そして、追尾処理部３９０は、算出した色ヒストグラムを、例えば追尾処理部３９０に設けられたメモリに記憶する。記憶された主被写体の色ヒストグラムは、主被写体の位置を探索する際に参照される。
【００７１】
主被写体の設定は、主被写体が人間である場合には、例えば、記録媒体４７０に記録された主被写体の顔の特徴量を取得し、取得した特徴量に基づいて、入力画像から主被写体の顔を認識することにより行う。また、主被写体の設定は、表示画面に設定用の枠を表示させた状態で、撮影ボタンの押下による決定操作を受け付け、決定操作が行われたときの枠内の画像を取得することにより行うようにしても良い。
【００７２】
そして、ステップＳ１２４０で、追尾処理部３９０は、主被写体を検出していると判断し、図４の処理に戻る。そして、新しいフレームが追尾処理部３９０に入力されるごとに、処理はステップＳ１２２０に進む。
【００７３】
追尾処理部３９０は、２回目以降の追尾処理の場合、つまり既に主被写体特徴量が設定されている場合には（Ｓ１２２０：ＹＥＳ）、ステップＳ１２５０に進む。
【００７４】
ステップＳ１２５０で、追尾処理部３９０は、前フレームでの追尾結果として得られた主被写体の位置を基準として、複数の探索領域を設定する。追尾処理部３９０は、例えば、主被写体の現在位置の候補点の設定密度を基準位置に近いほど多くなるような候補点分布を予め記憶しておき、その記憶した候補点分布に従ってランダムに設定することにより、複数の探索領域の設定を行う。そして、追尾処理部３９０は、設定した探索領域のそれぞれについて、色ヒストグラムを算出する。探索領域のサイズも、候補点分布と同様に、前フレームにおける主被写体のサイズを基準とする一定範囲内でランダムに設定される。こうすることで、主被写体の大きさの変化にも追従することが可能となる。
【００７５】
探索領域をランダムに設定する場合、表示範囲に存在するにもかかわらず主被写体が検出されずに、誤った通知が行われる可能性がある。ところが、この通知誤りは安全側に働くため、撮像装置１００をフレームイン状態に保持するための機能の妨げとはならない。一方で、検出精度を十分に高く保てるような数で候補点を設定すると、処理負荷が高くなる。したがって、候補点をランダムに設定することにより、処理負荷を軽減した状態で、撮像装置１００をフレームイン状態に保持するために有効な通知を行うことができる。
【００７６】
また、フレームイン領域とフレームアウト領域とで、異なる候補点分布を適用するようにしても良い。例えば、撮像装置１００のフレームイン状態の保持を最優先とする場合には、フレームアウト領域で探索領域がより多く設定されるような候補点分布を適用すれば良い。この場合には、主被写体がフレームイン領域に位置するにもかかわらず、フレームアウト状態を示す誤った通知が行われる可能性が高くなるが、フレームアウト領域に主被写体が入ったときにその旨をより確実に通知することが可能となる。
【００７７】
そして、ステップＳ１２６０で、追尾処理部３９０は、主被写体と相関性の高い探索領域が存在するか否かを判断する。具体的には、追尾処理部３９０は、例えば、各探索領域に対して色ヒストグラムを算出し、算出した色ヒストグラムと主被写体の色ヒストグラムとに対してヒストグラムインターセクション法を適用し、探索領域と主被写体との類似度を算出する。そして、追尾処理部３９０は、算出した類似度が所定値以上となる探索領域を、主被写体との相関性が高いと判断する。追尾処理部３９０は、主被写体と相関性の高い探索領域が存在する場合には（Ｓ１２６０：ＹＥＳ）、ステップＳ１２７０に進む。
【００７８】
ステップＳ１２７０で、追尾処理部３９０は、主被写体と最も相関性の高い探索領域を主被写体の現在の位置に決定して、ステップＳ１２４０に進み、主被写体を検出していると判断する。なお、上記した類似度が十分に高い値となる探索領域が発見された時点で、その探索領域を主被写体の現在の位置に決定するようにしても良い。この場合には、より少ない処理負荷でより迅速に主被写体の現在の位置を決定することができる。
【００７９】
一方、追尾処理部３９０は、主被写体と相関性の高い探索領域が存在しない場合には（Ｓ１２６０：ＮＯ）、ステップＳ１２８０に進む。
【００８０】
ステップＳ１２８０で、追尾処理部３９０は、主被写体を検出していないと判断して、図４の処理に戻る。主被写体を検出できなくなる状況としては、上記したように、例えば、主被写体が完全にフレームアウトしたり物陰に隠れたりした場合が挙げられる。
【００８１】
このような追尾処理を繰り返すことにより、追尾処理部３９０は、主被写体を検出しているか否かを、繰り返し判断する。なお、主被写体に該当しない探索領域が、偶然に最も相関性が高い領域となる可能性もある。したがって、追尾処理部３９０は、誤検出を避けるために、上記した所定値以上の類似度を持つ探索領域が複数個見つかった場合には、ステップＳ１２８０に進み、主被写体を検出していないと判断するようにしても良い。また、追尾処理部３９０は、相関性の判断において、正規化された輝度分布を利用したり、テンプレートマッチング法を適用するなど、他の手法を用いても良い。
【００８２】
次に、ＬＥＤ部１４０の点灯状態の切り替えパターンについて説明する。
【００８３】
ＬＥＤ部１４０の点灯状態は、上記したように、主被写体が追尾中か非追尾中かに応じて切り替えられる。これら２つの点灯状態は、撮影者がその違いを容易に認識できる内容であればよく、様々なパターンが考えられる。
【００８４】
例えば、通知部４１０は、ＬＥＤ部１４０に発光色の異なる複数のＬＥＤを有し、追尾中は青色ＬＥＤを発光させ、追尾終了後は赤色ＬＥＤを発光させるというように、多色表示を行う。または、通知部４１０は、ＬＥＤ部１４０の点滅を繰り返す間隔を追尾中と追尾終了後とで変化させる。または、通知部４１０は、追尾中のみＬＥＤ部１４０を点灯させ、追尾中以外はＬＥＤ部１４０を消灯させる。逆に、通知部４１０は、追尾中のみＬＥＤ部１４０を消灯させ、追尾中以外はＬＥＤ部１４０を点灯させるようにしても良い。
【００８５】
なお、ＬＥＤ部１４０から出力される光が、被写体の色合いに影響を及ぼす可能性がある。例えば、暗所での撮影時では、被写体の色合いに及ぼす影響は大きい。また、ＬＥＤ部１４０が点滅する場合には、周囲の光量がＬＥＤ部１４０の点滅に応じて変化するため、撮影させる映像は明度が一定しないものとなる。また、ＬＥＤ部１４０が有彩色の発光を行う場合、発光色が周囲の物体に反射し、正しい色で撮影を行うことができなくなる。
【００８６】
一方で、ＬＥＤ部１４０の発光量が少なすぎると、特に晴れた日の屋外のような明るい場所では、撮影者にとって点灯状態の変化を認識しにくくなる。
【００８７】
そこで、本実施の形態の撮像装置１００は、ＬＥＤ部１４０の発光量の調整が可能となっている。具体的には、システム制御部４５０は、通知部４１０に備えられたＬＥＤ部１４０の発光レベル設定モードを記憶している。システム制御部４５０は、発光レベル設定モードが手動設定モードであった場合、システム制御部４５０は、撮影者による手動での発光レベルの設定を受け付けてその設定内容を記憶する。また、システム制御部４５０は、発光レベル設定モードが自動調整モードが選択されているとき、周囲の光量に応じて最適な発光レベルを自動的に決定する。手動設定モード時に撮影者により発光レベルの設定が変更された場合、あるいは自動調整モード時に発光レベルが変わった場合、システム制御部４５０は、新しい発光レベルを発光レベル情報として通知部４１０に通知する。通知部４１０は、システム制御部４５０から受信した発光レベル情報を記憶し、記憶した発光レベル情報に従ってＬＥＤ部１４０の発光量を調整する。
【００８８】
図７は、発光レベル設定画面の一例を示す平面図である。
【００８９】
図７に示すように、発光レベル設定画面３７１は、３段階の発光レベルについての手動設定の項目と、周囲の光量に合わせて自動で発光レベルの調整を行う自動調整の項目との４種の項目３７２を、光量調整のメニューとして表示する。４種の項目３７２は、カーソル３７３の移動と決定操作によって選択可能である。発光レベル設定画面３７１の表示、カーソル３７３の移動、および決定操作は、撮影者が図３の操作部３８０を操作することによって行われる。
【００９０】
システム制御部４５０は、発光レベル設定画面３７１で自動設定の項目が選択された場合、映像の輝度量に応じて、ＬＥＤ部１４０の発光量の調整に使用される発光レベル情報を自動的に決定する。具体的には、システム制御部４５０は、実験データに基づいて作成された、映像の輝度量とその輝度量におけるＬＥＤ部１４０の最適な発光量を示す発光レベル情報とを対応付けて記述したテーブルを予め格納しており、このテーブルを参照して発光レベル情報を決定する。映像の輝度量は、映像信号処理部３５０から通知されるＹ信号成分の平均レベルから得ることができる。
【００９１】
一方、システム制御部４５０は、発光レベル設定画面３７１でいずれかの発光レベルの手動設定の項目が選択された場合、選択された項目に対応する発光レベル情報を通知部４１０に通知する。通知部４１０は受信した発光レベル情報に従いＬＥＤ部１４０の発光量を対応する発光量に固定する。
【００９２】
このようなＬＥＤ部１４０の発光量の調整により、撮像装置１００は、ＬＥＤ部１４０の点灯による被写体の色合いへの影響を抑えた状態で、より確実に主被写体を追尾中か否かを撮影者に通知することができる。
【００９３】
以上説明したように、本実施の形態によれば、撮像装置１００は、自己がフレームイン状態にあるか否かに応じて、装置本体１２０の上面に設けられたＬＥＤ部１４０の点灯状態を切り替える。すなわち、撮像装置１００は、撮影者２１０が表示画面から目を離し撮影方向に視線を向けている場合でも、その撮影者２１０の視界において光の点灯状態により、自己がフレームイン状態にあるか否かを通知する。これにより、撮像装置１００は、撮影者２１０に、主被写体がフレームアウトしたときまたはしそうなときなど、表示画面を注視すべきタイミングを容易に認識させることができる。したがって、撮影者２１０は、表示画面を注視し続けなくても、主被写体が表示画面に収まるように撮影を行うことができる。
【００９４】
なお、本実施の形態では、ＬＥＤ部１４０を装置本体１２０の上面に配置する場合について説明したが、これに限定されるものではなく、通常の撮影状態で撮影者の視界に入る位置であれば、ＬＥＤ部１４０は撮像装置１００のどこに配置しても良い。例えば、ＬＥＤ部１４０は、装置本体１２０の側面や背面、モニタ１３０の表面に設けても良い。
【００９５】
（実施の形態２）
本発明の実施の形態２は、実施の形態１のＬＥＤ部１４０を撮像装置の被写体側に配置した例である。
【００９６】
図８は、本発明の実施の形態２に係る撮像装置が撮影に使用されるときの様子の一例を示す図であり、実施の形態１の図１に対応するものである。図１と同一部分には同一符号を付し、これについての説明を省略する。
【００９７】
図８に示すように、実施の形態２の撮像装置１００ａは、実施の形態１の撮像装置１００と異なり、ＬＥＤ部１４０を、モニタ１３０の表示画面とは反対側の外面に配置している。これにより、ＬＥＤ部１４０は、モニタ１３０が装置本体１２０に対して開かれた状態において、撮像装置１００の撮影方向側からの視認が可能となっている。また、撮像装置１００ａは、主被写体２２０の顔の特徴量を予め取得しており、入力画像から主被写体２２０の顔を認識する。
【００９８】
主被写体２２０は、例えば撮影者２１０自身である。被写体２２０は、撮像装置１００ａを三脚２５０で固定し、追尾撮影モードでの撮影を開始させる。そして、主被写体２２０は、撮像装置１００ａの撮影方向側に移動し、ＬＥＤ部１４０が追尾中を示す点灯状態になるように、ＬＥＤ部１４０を目で確認しながら、自身の位置を調整する。
【００９９】
このような撮像装置１００ａによれば、主被写体２２０は、自身が現在撮像装置１００ａによって追尾されているかどうかを容易に知ることができる。これにより、主被写体２２０は、自身の撮影において、他の人の手を煩わせることなく、自身の画像ができるだけフレームアウトしないように、自身の位置を容易に調整することができる。
【０１００】
また、例えば、固定した撮像装置１００で子供のみを撮影するときに、撮影者２１０が自身をできるだけフレームアウトさせたいというような場合もある。このような場合に、本実施の形態の撮像装置１００ａによれば、主被写体２２０は、他の人の手を煩わせることなく、自身の画像ができるだけフレームアウトするように、自身の位置を容易に調整することができる。
【０１０１】
（実施の形態３）
本発明の実施の形態３は、モニタを用いて追尾中か否かを通知する例である。本実施の形態の撮像装置は、ＬＥＤ部１４０を有していない点と、表示部３７０が表示画面の点灯状態を切り替えることにより通知部４１０を兼ねる点以外は、実施の形態１の撮像装置１００と同一の構成を有する。
【０１０２】
図９は、本発明の実施の形態３に係る撮像装置の表示画面を示す平面図である。
【０１０３】
図９に示すように、表示画面３７３には、デジタル映像情報３７４および各種ＯＳＤ表示３７５に加えて、通知画像３７６が表示されている。通知画像３７６は、追尾処理部３９０のフレームイン判定部３９１からの通知情報に応じて、システム制御部４５０が生成し、表示部３７０で描画させるものである。通知画像３７６は、表示画面３７３において、注視せずとも視界に入っていれば容易に認識できる形態を採っており、例えば、表示画面３７３の外縁に沿った一定の太さの黄色い枠である。また、通知画像３７６は、目立つように、点滅表示や、簡易なアニメーション表示の形態を採ることが望ましい。なお、通知画像３７６の形態は、上記内容に限定されるものではなく、例えば表示画面３７３全体を点滅させる形態としても良い。
【０１０４】
このような撮像装置によれば、追尾中であるという情報または非追尾中であるという情報を伝えることが目的であることから、通知画像３７６の表示内容を、表示画面における主被写体の位置を表示する場合に比べてより単純化することができる。また、この結果として、通知画像３７６を、表示画面３７３を大きく使用した形態とすることができる。これにより、撮影者に対し、撮像装置１００がフレームイン状態にあるか否かを、より確実かつ容易に認識させることができる。
【０１０５】
また、撮影画像を表示のための装置部を利用して通知を行うので、実施の形態１のＬＥＤ部１４０を別途に設ける必要がなくなり、コストアップを抑えた状態で、光による通知を行うことができる。
【０１０６】
（実施の形態４）
本発明の実施の形態４は、追尾中か否かの通知に、撮影者が携帯する通知用端末における音声出力を追加した例である。
【０１０７】
図１０は、本発明の実施の形態４に係る撮像システム６００が撮影に使用されるときの様子の一例を示す図であり、実施の形態１の図１に対応するものである。図１と同一部分には同一符号を付し、これについての説明を省略する。
【０１０８】
図１０に示すように、撮像システム６００は、撮像装置１００ｂおよび通知用端末７００を有する。
【０１０９】
撮像装置１００ｂは、実施の形態１の撮像装置１００と同一の機能に加えて、通知用端末７００に対して表示範囲に主被写体が位置するか否かを示す通知情報を無線信号により送信する機能を有する。
【０１１０】
通知用端末７００は、撮像装置１００ｂから通知情報を受信し、受信した通知情報の内容に応じて音声を出力する。通知用端末７００は、例えば、携帯電話機やＰＤＡ（personal digital assistants）である。
【０１１１】
このような撮像システム６００によれば、図１０に示すように、撮影者２１０が、撮影方向以外の方向など、ＬＥＤ部１４０が視界に入らないような方向に視線２１１を向けていても、通知情報の内容を撮影者２１０に通知することができる。
【０１１２】
図１１は、図１０に示す撮像装置１００ｂの構成を示すブロック図であり、実施の形態１の図３に対応するものである。図３と同一部分には同一符号を付し、これについての説明を省略する。
【０１１３】
図１１において、撮像装置１００ｂは、図３の構成に加えて、システムバス４６０に接続された無線通信部４８０を有する。また、撮像装置１００ｂは、図３の追尾処理部３９０に替えて、追尾処理部３９０ｂを有する。
【０１１４】
追尾処理部３９０ｂは、追尾処理の開始時に、開始情報を無線通信部４８０に出力するとともに、追尾処理の終了時に、終了情報を無線通信部４８０に出力する。また、追尾処理部３９０ｂのフレームイン判定部３９１で生成される通知情報は、通知部４１０だけでなく、無線通信部４８０にも出力される。
【０１１５】
無線通信４８０は、追尾情報を無線周波数に変調して無線信号を得る変調部と、変調部で得られた無線信号を送出するアンテナ部を有する（いずれも図示せず）。無線通信部４８０は、追尾処理部３９０ｂから入力される開始情報および終了情報を、無線通信により通知用端末７００に送信する。また、無線通信部４８０は、追尾処理部３９０ｂから入力された通知情報が追尾中であることを示している間、追尾中である旨を示す追尾情報を図１０の通知用端末７００に送信する。
【０１１６】
図１２は、図１０に示す通知用端末７００の構成を示すブロック図である。
【０１１７】
図１２に示すように、通知用端末７００は、無線通信部７１０、通知部７２０、およびシステム制御部７３０を有する。これらの装置部は、システムバス７４０にそれぞれ接続されている。
【０１１８】
無線通信部７１０は、撮像装置１００ｂから無線信号により送信される追尾情報を受信する。無線通信部７１０は、撮像装置１００ｂから送出される無線信号を受信するアンテナ部と、アンテナ部で受信された無線信号を復調する復調部とを有する（いずれも図示せず）。無線通信部７１０は、撮像装置１００ｂから無線信号により送信される追尾情報を受信する。
【０１１９】
通知部７２０は、無線通信部７１０で追尾情報が受信されている間、音声を出力する。通知部７２０は、後述する音声情報をＤ／Ａ変換してアナログ音声信号を得るＤ／Ａ変換部と、Ｄ／Ａ変換部で得られたアナログ音声信号を音声に変換するスピーカとを有する（いずれも図示せず）。
【０１２０】
システム制御部７３０は、ＣＰＵ、プログラムを記録したＲＯＭ、およびプログラム実行用のＲＡＭから成り（いずれも図示せず）、システムバス７４０を介して通知用端末７００の各部の動作を統合制御する。
【０１２１】
以下、撮像装置１００ｂおよび通知用端末７００の動作について説明する。
【０１２２】
撮像装置１００ｂは、実施の形態１の図４に示す追尾処理と同様の処理を追尾処理部３９０ｂで実行する。但し、追尾処理部３９０ｂは、追尾処理を開始するごとに、開始情報を無線通信部４８０を介して通知用端末７００に送信し、追尾処理を終了するごとに、終了情報を無線通信部４８０を介して通知用端末７００に送信する。また、追尾処理部３９０ｂは、図４のステップＳ１３００およびステップＳ１７００で、通知情報を、無線通信部４８０にも出力する。この結果、追尾処理が行われているとき、追尾中か否かに応じた内容の通知情報が、無線通信４８０で無線信号に変調され、通知用端末７００に送信される。
【０１２３】
通知用端末７００は、撮像装置１００ｂから開始情報を受信したとき、撮像装置１００ｂが主被写体を追尾中か否かを撮影者２１０に通知する追尾通知処理を実行する。
【０１２４】
図１３は、通知用端末７００が実行する追尾通知処理を示すフローチャートである。
【０１２５】
まず、ステップＳ２１００で、無線通信部７１０は、追尾情報を撮像装置１００ｂから受信したか否かを判断する。無線通信７１０は、追尾情報を受信していな場合には、ステップＳ２２００に進み、追尾情報を受信した場合には、追尾情報を受信した旨をシステム制御部７３０に通知し、ステップＳ２４００に進む。
【０１２６】
ステップＳ２２００で、システム制御部７３０は、撮像装置１００ｂが主被写体を追尾中ではないこと、つまりフレームアウト状態にあることを示す動作を行う。ここでは、システム制御部７３０は、通知部７２０に対して後述する音声情報を出力しない動作を行う。
【０１２７】
そして、ステップＳ２３００で、システム制御部７３０は、動作を継続するか否かを判断し、動作を継続すると判断した場合には（Ｓ２３００：ＹＥＳ）、ステップＳ２１００に戻る。
【０１２８】
一方、ステップＳ２４００で、システム制御部７３０は、撮像装置１００ｂが主被写体を追尾中であること、つまり撮像装置１００ｂがフレームイン状態にあることを示す動作を行い、ステップＳ２３００に進む。ここでは、システム制御部７３０は、所定の音声を出力するための音声情報を、通知部７２０に出力する。この結果、通知部７２０では、音声情報に対応する音声が出力される。
【０１２９】
そして、システム制御部７３０は、撮像装置１００ｂから終了情報を受信するなどして動作を継続しないと判断した場合には（Ｓ２３００：ＮＯ）、一連の処理を終了する。
【０１３０】
このような追尾通知処理により、通知用端末７００は、撮像装置１００ｂがフレームイン状態にあるときのみ、音声を出力する。
【０１３１】
このように、本実施の形態の撮像システム６００によれば、主被写体を追尾中であることを、通知用端末７００から音声を出力することにより通知し、主被写体を追尾中ではないことを、通知用端末７００から音声を出力しないことにより通知することができる。これにより、撮影者２１０は、撮影操作中に、より自由に視線を移動させることができ、よりリラックスした状態で撮影を行うことができる。また、撮像装置１００ｂではなく、通知用端末７００で音声出力を行うため、撮像装置１００ｂが音声録音を映像と同時に行う場合に、音声が大きな音量で録音されるのを防ぐことができる。
【０１３２】
なお、通知用端末７００は、主被写体２２０が携帯することも可能である。これにより、主被写体２２０は、実施の形態２と同様に、自身の撮影において、他の人の手を煩わせることなく、撮像装置１００ｂがフレームイン状態となるように、または撮像装置１００ｂがフレームイン状態とならないように、自身の位置を調整することができる。また、本実施の形態によれば、撮像装置１００ｂと主被写体２２０との距離が遠く、撮像装置１００ａにおける発光では視認が難しいような場合でも、主被写体２２０に通知を行うことができる。
【０１３３】
また、通知の際の音声が撮像装置１００ｂで録音されないよう、通知用端末７００に、音量調整のためのダイアル等を配置し、音声の音量を調整可能な構成としても良い。
【０１３４】
また、非追尾中にのみ音声を出力したり、追尾中と非追尾中とで異なる音声を出力するなど、各種の音声出力パターンを適用することが可能である。
【０１３５】
（実施の形態５）
本発明の実施の形態５は、実施の形態４の通知用端末における追尾中であることの通知を、振動によって行う例である。
【０１３６】
本実施の形態の通知用端末は、実施の形態４の図１２に示す通知用端末７００と同様の構成を有し、図１３に示す追尾通知処理と同様の処理を実行する。但し、システム制御部は、無線通信部から追尾情報を受信した旨を受信したとき、図１３のステップＳ２４００で、音声情報ではなく、振動を出力するための振動情報を通知部７２０に出力する。通知部は、スピーカに替えて、携帯電話機のバイブレーション機能用として一般化している振動モータを有しており、振動情報をＤ／Ａ変換したアナログ信号に基づいて、振動モータを駆動させる。この振動モータには、例えば、特許第３１５９２１２号公報に記載されているブラシレス振動モータを適用することが望ましい。
【０１３７】
このような通知用端末によれば、音声を出力することなく、撮影者または主被写体に、撮像装置がフレームイン状態にあるか否かを通知することができるので、録音音声や周囲環境に特に影響を及ぼすことなく、主被写体をフレームインの状態に保持または復帰させることができる。
【０１３８】
以上説明した各実施の形態では、撮像装置が家庭用のビデオカメラである場合について説明したが、静止画像を撮像するデジタルカメラなど、被写体の光学像を撮像する各種の撮像装置に適用可能であることは言うまでも無い。
【０１３９】
また、追尾処理として、主被写体が画面中央に収まるように配置するための手段として、レンズ鏡筒を駆動制御する場合について説明したが、これに限定されるものではなく、レンズの移動や映像の切り出し処理や固体撮像素子の移動を適用しても良い。
【０１４０】
また、主被写体の追尾が可能な画像領域と、モニタ１３０に表示される画像領域と、実際に記録される画像領域とが一致している場合について説明したが、これに限定されるものではない。例えば、記録される画像領域がモニタ１３０に表示される画像領域よりも小さい場合には、記録される画像領域にフレームイン領域を設定することが望ましい。
【０１４１】
更には、本発明は、追尾処理に関する通知手段に関するものであるため、追尾処理によって実現される撮像装置の機能には依存しない。したがって、本発明は、例えば、追尾処理をＡＦ（auto focus）制御や露出制御に用い、追尾処理によって求められた主被写体の位置に対してＡＦ制御や最適な露出制御を行うような撮像装置にも適用することができる。
【産業上の利用可能性】
【０１４２】
本発明に係る撮像装置、撮像装置本体および通知用端末は、撮影者が表示画面を注視し続けることなく、指定された被写体が所定の基準範囲内に収まるような撮影を支援することができる撮像装置、撮像装置本体および通知用端末として有用である。特に、本発明は、追尾処理が行われていることを容易に認識することが可能という効果を奏するため、被写体に対する追尾機能の有効性を高めるものであり、追尾機能を備えたデジタルカメラ、デジタルビデオカメラといった種々の撮像装置に対して有用である。
【図面の簡単な説明】
【０１４３】
【図１】本発明の実施の形態１に係る撮像装置が撮影に使用されるときの様子の一例を示す図
【図２】実施の形態１に係る撮像装置の外観を示す斜視図
【図３】実施の形態１に係る撮像装置の構成を示すブロック図
【図４】実施の形態１における追尾処理部の動作を示すフローチャート
【図５】実施の形態１におけるフレームイン領域を説明するための図
【図６】実施の形態１における追尾処理を示すフローチャート
【図７】実施の形態１における発光レベル設定画面の一例を示す平面図
【図８】本発明の実施の形態２に係る撮像装置が撮影に使用されるときの様子の一例を示す図
【図９】本発明の実施の形態３に係る撮像装置の表示画面を示す平面図
【図１０】本発明の実施の形態４に係る撮像システムが撮影に使用されるときの様子の一例を示す図
【図１１】実施の形態４に係る撮像装置の構成を示すブロック図
【図１２】実施の形態４に係る通知用端末の構成を示すブロック図
【図１３】実施の形態４に係る通知用端末における追尾通知処理を示すフローチャート
【図１４】従来の撮像装置における表示画面を示す平面図
【符号の説明】
【０１４４】
１００、１００ａ、１００ｂ  撮像装置
１１０  レンズ部
１２０  装置本体
１３０  モニタ
１４０  ＬＥＤ部
３１０  撮像光学系
３２０  レンズ鏡筒
３３０  固体撮像素子
３４０  Ａ／Ｄ変換部
３５０  映像信号処理部
３６０  バッファメモリ
３７０  表示部
３８０  操作部
３９０、３９０ｂ  追尾処理部
３９１  フレームイン判定部
４００  レンズ鏡筒制御部
４１０、７２０  通知部
４２０  ＣＯＤＥＣ
４３０  記録Ｉ／Ｆ部
４４０  ソケット
４５０、７３０  システム制御部
４６０、７４０  システムバス
４７０  記録媒体
４８０、７１０  無線通信部
６００  撮像システム
７００  通知用端末
【図１】
0005079549.tif 000002
【図２】
0005079549.tif 000003
【図３】
0005079549.tif 000004
【図４】
0005079549.tif 000005
【図５】
0005079549.tif 000006
【図６】
0005079549.tif 000007
【図７】
0005079549.tif 000008
【図８】
0005079549.tif 000009
【図９】
0005079549.tif 000010
【図１０】
0005079549.tif 000011
【図１１】
0005079549.tif 000012
【図１２】
0005079549.tif 000013
【図１３】
0005079549.tif 000014
【図１４】
0005079549.tif 000015